【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
通信の方法であって、
第２のアクセスポイントにおいて、または前記第２のアクセスポイントの極めて近接に位置し、前記第２のアクセスポイントにキャンプオンされているか、前記第２のアクセスポイントによってサービス提供されているアクセス端末において、第１のアクセスポイントからの信号の品質を決定し、それによって、単一の位置での前記信号の決定された信号品質を取得することと、
前記決定された信号品質および少なくとも１つの所定の定数に基づいてセル再選択パラメータを決定することと、ここにおいて、前記セル再選択パラメータは、前記第２のアクセスポイントの前記第１のアクセスポイントおよび前記第１のアクセスポイントのセルエッジへの近接度の関数である、
前記第２のアクセスポイントから前記決定されたセル再選択パラメータを送信することと、
を備える方法。
【請求項２】
前記セル再選択パラメータの決定は、
前記第２のアクセスポイントが前記第１のアクセスポイントの前記セルエッジよりも前記第１のアクセスポイントの近くに存在することを前記決定された信号品質が示す場合、前記セル再選択パラメータを第１の値に設定すること、または
前記第２のアクセスポイントが前記第１のアクセスポイントよりも前記第１のアクセスポイントの前記セルエッジの近くに存在することを前記決定された信号品質が示す場合、前記セル再選択パラメータを前記第１の値とは異なる第２の値に設定すること
を備える、請求項１に記載の方法。
【請求項３】
前記第１の値は、前記第２の値と比較して、前記第２のアクセスポイントによってサービス提供されるアクセス端末が前記第１のアクセスポイントへの再選択を行う可能性を減少させ、
前記第２の値は、前記第１の値と比較して、前記第２のアクセスポイントによってサービス提供されるアクセス端末が、前記第１のアクセスポイントへの再選択ではなく、前記第２のアクセスポイントに留まる可能性を減少させる
請求項２に記載の方法。
【請求項４】
前記第２のアクセスポイントが、前記第１のアクセスポイントの前記セルエッジよりも前記第１のアクセスポイントの近くに存在することを前記決定された信号品質が示す場合、前記セル再選択パラメータの決定は、
許容セル再選択パラメータ値のセットのうちの１つの値を選択することと、前記１つの値は、前記セットのうちの少なくとも１つの他の値と比較して、前記第２のアクセスポイントによってサービス提供されるアクセス端末が前記第１のアクセスポイントへの再選択を行うであろう可能性を減らすような値であり、
前記セル再選択パラメータを前記選択された値に設定することと
を備える、請求項１に記載の方法。
【請求項５】
前記２のアクセスポイントが、前記第１のアクセスポイントよりも前記第１のアクセスポイントの前記セルエッジの近くに存在することを前記決定された信号品質が示す場合、前記セル再選択パラメータの決定は、
許容セル再選択パラメータ値のセットのうちの１つの値を選択することと、前記１つの値は、前記セットのうちの少なくとも１つの他の値と比較して、前記第２のアクセスポイントによってサービス提供されるアクセス端末が前記第１のアクセスポイントへの再選択を行うであろう可能性を高めるような値であり、
前記セル再選択パラメータを前記選択された値に設定することと
を備える、請求項１に記載の方法。
【請求項６】
前記セル再選択パラメータは、Ｑｈｙｓｔパラメータを備える、請求項１に記載の方法。
【請求項７】
前記セル再選択パラメータの決定は、前記Ｑｈｙｓｔパラメータを、前記少なくとも１つの所定の定数および前記決定された信号品質のみによって決定される値を有する関数として計算することを備える、請求項６に記載の方法。
【請求項８】
前記セル再選択パラメータの決定は、
前記決定された信号品質を閾値と比較することと、
前記決定された信号品質が前記閾値以上である場合に、前記Ｑｈｙｓｔパラメータを、セルサイトに対して特定された値に設定することと
を備える、請求項６に記載の方法。
【請求項９】
前記セル再選択パラメータの決定は、
前記決定された信号品質を閾値と比較することと、
前記決定された信号品質が前記閾値以下である場合に、前記Ｑｈｙｓｔパラメータを、セルエッジに対して特定された値に設定することと
を備える、請求項６に記載の方法。
【請求項１０】
前記セル再選択パラメータは、Ｑｑｕａｌｍｉｎパラメータ、Ｔｒｅｓｅｌｅｃｔｉｏｎパラメータ、Ｑｒｘｌｅｖｍｉｎパラメータ、または、Ｑｏｆｆｓｅｔパラメータをさらに備える、請求項１に記載の方法。
【請求項１１】
前記信号品質の決定は、前記第２のアクセスポイントにおいて前記信号の合計受信信号強度によって除算された受信パイロット信号強度（Ｅｃｐ／Ｉ０）を決定することを備える、請求項１に記載の方法。
【請求項１２】
前記信号品質の決定は、前記第２のアクセスポイントにおいて前記信号の受信信号コード電力を決定することを備える、請求項１に記載の方法。
【請求項１３】
前記信号品質の決定は、前記第１のアクセスポイントから前記第２のアクセスポイントへの経路損失を推定することを備える、請求項１に記載の方法。
【請求項１４】
前記信号品質の決定は、
前記第１のアクセスポイントから前記信号を受信することと、
受信信号に基づいて信号品質パラメータを決定することと
を備える、請求項１に記載の方法。
【請求項１５】
前記信号品質の決定は、前記信号品質のインジケーションを受信することを備える、請求項１に記載の方法。
【請求項１６】
前記第１のアクセスポイントはマクロ基地局を備え、
前記第２のアクセスポイントはフェムトセルを備える
請求項１に記載の方法。
【請求項１７】
通信のための装置であって、
前記装置において、または前記装置の極めて近接に存在し、前記装置にキャンプオンされているか、前記装置によってサービス提供されているアクセス端末において、第１のアクセスポイントからの信号の品質を決定し、それによって、単一の位置での前記信号の決定された信号品質を取得するように動作可能であり、さらに、前記決定された信号品質および少なくとも１つの所定の定数に基づいてセル再選択パラメータを決定するように動作可能なコントローラと、ここにおいて、前記装置は第２のアクセスポイントを備え、前記セル再選択パラメータは、前記第２のアクセスポイントの前記第１のアクセスポイントおよび前記第１のアクセスポイントのセルエッジへの近接度の関数である、
前記装置から前記決定されたセル再選択パラメータを送信するように動作可能な送信機と
を備える装置。
【請求項１８】
前記セル再選択パラメータの決定は、
前記第２のアクセスポイントが前記第１のアクセスポイントの前記セルエッジよりも前記第１のアクセスポイントの近くに存在することを前記決定された信号品質が示す場合に、前記セル再選択パラメータを第１の値に設定すること、または
前記第２のアクセスポイントが前記第１のアクセスポイントよりも前記第１のアクセスポイントの前記セルエッジの近くに存在することを前記決定された信号品質が示す場合に、前記セル再選択パラメータを前記第１の値とは異なる第２の値に設定すること
を備える、請求項１７に記載の装置。
【請求項１９】
前記第１の値は、前記第２の値と比較して、前記第２のアクセスポイントによってサービス提供されるアクセス端末が前記第１のアクセスポイントへの再選択を行う可能性を減少させ、
前記第２の値は、前記第１の値と比較して、前記第２のアクセスポイントによってサービス提供されるアクセス端末が、前記第１のアクセスポイントへの再選択ではなく前記第２のアクセスポイントに留まる可能性を減少させる
請求項１８に記載の装置。
【請求項２０】
前記セル再選択パラメータは、Ｑｈｙｓｔパラメータをさらに備える、請求項１７に記載の装置。
【請求項２１】
前記セル再選択パラメータは、Ｑｑｕａｌｍｉｎパラメータ、Ｔｒｅｓｅｌｅｃｔｉｏｎパラメータ、Ｑｒｘｌｅｖｍｉｎパラメータ、または、Ｑｏｆｆｓｅｔパラメータを備える、請求項１７に記載の装置。
【請求項２２】
通信のための装置であって、
前記装置において、または前記装置の極めて近接に存在し、前記装置にキャンプオンされているか、第２のアクセスポイントを備える前記装置によってサービス提供されているアクセス端末において、第１のアクセスポイントからの信号の品質を決定し、それによって、単一の位置での前記信号の決定された信号品質を取得するための手段と、
前記決定された信号品質および少なくとも１つの所定の定数に基づいてセル再選択パラメータを決定するための手段と、ここにおいて、前記セル再選択パラメータは、前記第２のアクセスポイントの前記第１のアクセスポイントおよび前記第１のアクセスポイントのセルエッジへの近接度の関数である、
前記装置から前記決定されたセル再選択パラメータを送信するための手段と
を備える装置。
【請求項２３】
前記セル再選択パラメータの決定は、
前記第２のアクセスポイントが前記第１のアクセスポイントの前記セルエッジよりも前記第１のアクセスポイントの近くに存在することを前記決定された信号品質が示す場合に、前記セル再選択パラメータを第１の値に設定すること、または
前記第２のアクセスポイントが前記第１のアクセスポイントよりも前記第１のアクセスポイントの前記セルエッジの近くに存在することを前記決定された信号品質が示す場合に、前記セル再選択パラメータを前記第１の値とは異なる第２の値に設定すること
を備える、請求項２２に記載の装置。
【請求項２４】
前記第１の値は、前記第２の値と比較して、前記第２のアクセスポイントによってサービス提供されるアクセス端末が前記第１のアクセスポイントへの再選択を行う可能性を減少させ、
前記第２の値は、前記第１の値と比較して、前記第２のアクセスポイントによってサービス提供されるアクセス端末が、前記第１のアクセスポイントへの再選択ではなく前記第２のアクセスポイントに留まる可能性を減少させる
請求項２３に記載の装置。
【請求項２５】
前記セル再選択パラメータは、Ｑｈｙｓｔパラメータである、請求項２２に記載の装置。
【請求項２６】
前記セル再選択パラメータは、Ｑｑｕａｌｍｉｎパラメータ、Ｔｒｅｓｅｌｅｃｔｉｏｎパラメータ、Ｑｒｘｌｅｖｍｉｎパラメータ、または、Ｑｏｆｆｓｅｔパラメータをさらに備える、請求項２２に記載の装置。
【請求項２７】
コンピュータプログラムであって、
コンピュータに、
第２のアクセスポイントにおいて、または前記第２のアクセスポイントの極めて近接に存在し、前記第２のアクセスポイントにキャンプオンされているか、前記第２のアクセスポイントによってサービス提供されているアクセス端末において、第１のアクセスポイントからの信号の品質を決定させ、それによって、単一の位置での前記信号の決定された信号品質を取得させ、
前記決定された信号品質および少なくとも１つの所定の定数に基づいてセル再選択パラメータを決定させ、ここにおいて、前記セル再選択パラメータは、前記第２のアクセスポイントの前記第１のアクセスポイントおよび前記第１のアクセスポイントのセルエッジへの近接度の関数である、
前記第２のアクセスポイントから前記決定されたセル再選択パラメータを送信させる
ためのコードを備える、コンピュータプログラム。
【請求項２８】
前記セル再選択パラメータの決定は、
前記第２のアクセスポイントが前記第１のアクセスポイントの前記セルエッジよりも前記第１のアクセスポイントの近くに存在することを前記決定された信号品質が示す場合に、前記セル再選択パラメータを第１の値に設定すること、または
前記第２のアクセスポイントが前記第１のアクセスポイントよりも前記第１のアクセスポイントの前記セルエッジの近くに存在することを前記決定された信号品質が示す場合に、前記セル再選択パラメータを前記第１の値とは異なる第２の値に設定すること
を備える、請求項２７に記載のコンピュータプログラム。
【請求項２９】
前記第１の値は、前記第２の値と比較して、前記第２のアクセスポイントによってサービス提供されるアクセス端末が前記第１のアクセスポイントへの再選択を行う可能性を減少させ、
前記第２の値は、前記第１の値と比較して、前記第２のアクセスポイントによってサービス提供されるアクセス端末が、前記第１のアクセスポイントへの再選択ではなく前記第２のアクセスポイントに留まる可能性を減少させる
請求項２８に記載のコンピュータプログラム。
【請求項３０】
前記セル再選択パラメータは、Ｑｈｙｓｔパラメータである、請求項２７に記載のコンピュータプログラム。
【請求項３１】
前記セル再選択パラメータは、Ｑｑｕａｌｍｉｎパラメータ、Ｑｒｘｌｅｖｍｉｎパラメータ、Ｔｒｅｓｅｌｅｃｔｉｏｎパラメータ、または、Ｑｏｆｆｓｅｔパラメータをさらに備える、請求項２７に記載のコンピュータプログラム。
【請求項３２】
通信の方法であって、
第１のアクセスポイントの第２のアクセスポイントへの近接度を決定することと、
前記決定された近接度、閾値、および前記第１のアクセスポイントの前記第２のアクセスポイントのセルエッジへの近接度に基づいてセル再選択パラメータを決定することと、
前記第１のアクセスポイントから前記決定されたセル再選択パラメータを送信することと
を備える方法。
【請求項３３】
前記セル再選択パラメータの決定は、
前記第１のアクセスポイントが前記第２のアクセスポイントのセルサイトに存在することを前記決定された近接度が示す場合、前記セル再選択パラメータを第１の値に設定すること、または
前記第１のアクセスポイントが前記第２のアクセスポイントのセルエッジに存在することを前記決定された近接度が示す場合、前記セル再選択パラメータを第２の値に設定すること
を備える、請求項３２に記載の方法。
【請求項３４】
前記第１の値は、前記第２の値と比較して、前記第１のアクセスポイントによってサービス提供されるアクセス端末が前記第２のアクセスポイントへの再選択を行う可能性を減少させ、
前記第２の値は、前記第１の値と比較して、前記第１のアクセスポイントによってサービス提供されるアクセス端末が、前記第２のアクセスポイントへの再選択ではなく前記第１のアクセスポイントに留まる可能性を減少させる
請求項３３に記載の方法。
【請求項３５】
前記第１のアクセスポイントが前記第２のアクセスポイントのセルサイトに位置することを前記決定された近接度が示す場合、前記セル再選択パラメータの決定は、
前記第１のアクセスポイントによってサービス提供されるアクセス端末が前記第２のアクセスポイントへの再選択を行うであろう可能性を減らす許容セル再選択パラメータ値のセットのうちの１つの値を選択することと、
前記セル再選択パラメータを前記選択された値に設定することと
を備える、請求項３２に記載の方法。
【請求項３６】
前記第１のアクセスポイントが前記第２のアクセスポイントのセルエッジに位置することを前記決定された近接度が示す場合、前記セル再選択パラメータの決定は、
前記第１のアクセスポイントによってサービス提供されるアクセス端末が前記第２のアクセスポイントへの再選択を行うであろう可能性を高める許容セル再選択パラメータ値のセットのうちから１つの値を選択することと、
前記セル再選択パラメータを前記選択された値に設定することと
を備える、請求項３２に記載の方法。
【請求項３７】
前記セル再選択パラメータは、Ｑｈｙｓｔパラメータを備える、請求項３２に記載の方法。
【請求項３８】
前記セル再選択パラメータの決定は、前記第１のアクセスポイントが前記第２のアクセスポイントのセルサイトに位置することを前記決定された近接度が示す場合、セルサイトに対して特定された値に前記Ｑｈｙｓｔパラメータを設定することを備える、請求項３７に記載の方法。
【請求項３９】
前記セル再選択パラメータの決定は、前記第１のアクセスポイントが前記第２のアクセスポイントのセルエッジに位置することを前記決定された近接度が示す場合、セルエッジに対して特定された値に前記Ｑｈｙｓｔパラメータを設定することを備える、請求項３７に記載の方法。
【請求項４０】
前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、請求項３２に記載の方法。
【請求項４１】
前記近接度の決定は、
前記第２のアクセスポイントから信号を受信することと、
前記受信信号の信号パラメータを測定することと、
前記測定された信号パラメータに基づいて前記近接度を決定することと、
を備える、請求項３２に記載の方法。
【請求項４２】
前記近接度の決定は、前記第２のアクセスポイントから前記第１のアクセスポイントへの経路損失を推定することを備える、請求項３２に記載の方法。
【請求項４３】
前記経路損失の推定は、
前記第１のアクセスポイントにおいて前記第２のアクセスポイントからの信号の受信信号コード電力を決定することと、
前記信号を送信するために、前記第２のアクセスポイントによって使用される送信電力を決定することと、
前記決定された受信信号コード電力および前記決定された送信電力に基づいて経路損失値を計算することと
を備える、請求項４２に記載の方法。
【請求項４４】
前記受信信号コード電力は、共通パイロットチャネル受信信号コード電力を備え、
前記送信電力は、共通パイロットチャネル送信電力を備える、
請求項４３に記載の方法。
【請求項４５】
前記近接度の決定は、前記近接度のインジケーションを受信することを備える、請求項３２に記載の方法。
【請求項４６】
前記第１のアクセスポイントはフェムトセルを備え、
前記第２のアクセスポイントはマクロ基地局を備える
請求項３２に記載の方法。
【請求項４７】
通信のための装置であって、前記装置は第１のアクセスポイントに備えられ、
前記装置の第２のアクセスポイントへの近接度を決定するように動作可能であって、さらに、前記決定された近接度、閾値、および前記第１のアクセスポイントの前記第２のアクセスポイントのセルエッジへの近接度に基づいてセル再選択パラメータを決定するように動作可能なコントローラと、
前記装置から前記決定されたセル再選択パラメータを送信するように動作可能な送信機と
を備える装置。
【請求項４８】
前記セル再選択パラメータの決定は、
前記第１のアクセスポイントが前記第２のアクセスポイントのセルサイトに存在することを前記決定された近接度が示す場合、前記セル再選択パラメータを第１の値に設定すること、または
前記第１のアクセスポイントが前記第２のアクセスポイントのセルエッジに存在することを前記決定された近接度が示す場合、前記セル再選択パラメータを第２の値に設定すること
を備える、請求項４７に記載の装置。
【請求項４９】
前記第１の値は、前記第２の値と比較して、前記第１のアクセスポイントによってサービス提供されるアクセス端末が前記第２のアクセスポイントへの再選択を行う可能性を減少させ、
前記第２の値は、前記第１の値と比較して、前記第１のアクセスポイントによってサービス提供されるアクセス端末が、前記第２のアクセスポイントへの再選択ではなく前記第１のアクセスポイントに留まる可能性を減少させる
請求項４８に記載の装置。
【請求項５０】
前記セル再選択パラメータは、Ｑｈｙｓｔパラメータを備える、請求項４７に記載の装置。
【請求項５１】
前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、請求項４７に記載の装置。
【請求項５２】
前記近接度の決定は、前記第２のアクセスポイントから前記第１のアクセスポイントへの経路損失を推定することを備える、請求項４７に記載の装置。
【請求項５３】
通信のための装置であって、前記装置は第１のアクセスポイントに備えられ、
前記装置の第２のアクセスポイントへの近接度を決定するための手段と、
前記決定された近接度、閾値、および前記第１のアクセスポイントの前記第２のアクセスポイントのセルエッジへの近接度に基づいてセル再選択パラメータを決定するための手段と、
前記装置から前記決定されたセル再選択パラメータを送信するための手段と
を備える装置。
【請求項５４】
前記セル再選択パラメータの決定は、
前記第１のアクセスポイントが前記第２のアクセスポイントのセルサイトに存在することを前記決定された近接度が示す場合、前記セル再選択パラメータを第１の値に設定すること、または
前記第１のアクセスポイントが前記第２のアクセスポイントのセルエッジに存在することを前記決定された近接度が示す場合、前記セル再選択パラメータを第２の値に設定すること
を備える、請求項５３に記載の装置。
【請求項５５】
前記第１の値は、前記第２の値と比較して、前記第１のアクセスポイントによってサービス提供されるアクセス端末が前記第２のアクセスポイントへの再選択を行う可能性を減少させ、
前記第２の値は、前記第１の値と比較して、前記第１のアクセスポイントによってサービス提供されるアクセス端末が、前記第２のアクセスポイントへの再選択ではなく前記第１のアクセスポイントに留まる可能性を減少させる
請求項５４に記載の装置。
【請求項５６】
前記セル再選択パラメータは、Ｑｈｙｓｔパラメータを備える、請求項５３に記載の装置。
【請求項５７】
前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、請求項５３に記載の装置。
【請求項５８】
前記近接度の決定は、前記第２のアクセスポイントから前記第１のアクセスポイントへの経路損失を推定することを備える、請求項５３に記載の装置。
【請求項５９】
コンピュータプログラムであって、
コンピュータに、
第１のアクセスポイントの第２のアクセスポイントへの近接度を決定させ、
前記決定された近接度、閾値、および前記第１のアクセスポイントの前記第２のアクセスポイントのセルエッジへの近接度に基づいてセル再選択パラメータを決定させ、
前記第１のアクセスポイントから前記決定されたセル再選択パラメータを送信させる
ためのコードを備える、コンピュータプログラム。
【請求項６０】
前記セル再選択パラメータの決定は、
前記第１のアクセスポイントが前記第２のアクセスポイントのセルサイトに存在することを前記決定された近接度が示す場合、前記セル再選択パラメータを第１の値に設定すること、または
前記第１のアクセスポイントが前記第２のアクセスポイントのセルエッジに存在することを前記決定された近接度が示す場合、前記セル再選択パラメータを第２の値に設定すること
を備える、請求項５９に記載のコンピュータプログラム。
【請求項６１】
前記第１の値は、前記第２の値と比較して、前記第１のアクセスポイントによってサービス提供されるアクセス端末が前記第２のアクセスポイントへの再選択を行う可能性を減少させ、
前記第２の値は、前記第１の値と比較して、前記第１のアクセスポイントによってサービス提供されるアクセス端末が、前記第２のアクセスポイントへの再選択ではなく前記第１のアクセスポイントに留まる可能性を減少させる
請求項６０に記載のコンピュータプログラム。
【請求項６２】
前記セル再選択パラメータは、Ｑｈｙｓｔパラメータを備える、請求項５９に記載のコンピュータプログラム。
【請求項６３】
前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、請求項５９に記載のコンピュータプログラム。
【請求項６４】
前記近接度の決定は、前記第２のアクセスポイントから前記第１のアクセスポイントへの経路損失を推定することを備える、請求項５９に記載のコンピュータプログラム。
【請求項６５】
前記第２のアクセスポイントは、制限付きアクセスモードで動作する、請求項１に記載の方法。
【請求項６６】
前記第２のアクセスポイントは、オープンアクセスモードで動作する、請求項１に記載の方法。
【請求項６７】
前記第２のアクセスポイントは、制限付きアクセスモードで動作する、請求項１７に記載の装置。
【請求項６８】
前記第２のアクセスポイントは、オープンアクセスモードで動作する、請求項１７に記載の装置。
【手続補正２】
【補正対象書類名】明細書
【補正対象項目名】０１４９
【補正方法】変更
【補正の内容】
【０１４９】
開示された態様の以上の記述は、当業者が本開示を実施および使用することを可能にするために提供される。これらの態様に対する様々な変更は当業者には容易に明らかであり、本明細書において定義された包括的な原理は、本発明の精神または範囲を逸脱することなく他の態様に適用可能である。従って、本開示は本明細書に記載の態様に制限されるものではなく、本明細書で開示される原理および新規な特徴と合致する最も広い範囲が与えられるべきである。
以下に、本願出願の当初の特許請求の範囲に記載された発明を付記する。
［１］  通信の方法であって、
第２のアクセスポイントにおいて第１のアクセスポイントからの信号の品質を決定することと、
前記決定された信号品質に基づいてセル再選択パラメータを決定することと、
前記第２のアクセスポイントから前記決定されたセル再選択パラメータを送信することと、を備える方法。
［２］  前記セル再選択パラメータの決定は、
前記第２のアクセスポイントが前記第１のアクセスポイントの近くに存在することを前記決定された信号品質が示す場合、前記セル再選択パラメータを第１の値に設定すること、または
前記第２のアクセスポイントが前記第１のアクセスポイントのセルエッジの近くに存在することを前記決定された信号品質が示す場合、前記セル再選択パラメータを第２の値に設定すること
を備える、［１］に記載の方法。
［３］  前記第１の値は、前記第２のアクセスポイントによってサービス提供されるアクセス端末が前記第１のアクセスポイントへの早期再選択を行う可能性を減少させるように定義され、
前記第２の値は、前記第２のアクセスポイントによってサービス提供されるアクセス端末が、前記アクセス端末が前記第１のアクセスポイントへの再選択ではなく、前記第２のアクセスポイントに留まることによる機能停止を経験する可能性を減少させるように定義される
［２］に記載の方法。
［４］  前記第２のアクセスポイントが前記第１のアクセスポイントの近くに存在することを前記決定された信号品質が示す場合、前記セル再選択パラメータの決定は、
前記第２のアクセスポイントによってサービス提供されるアクセス端末が前記第１のアクセスポイントへの再選択を行うであろう可能性を減らすように、許容セル再選択パラメータ値のセットのうちの１つの値を選択することと、
前記セル再選択パラメータを前記選択された値に設定することと
を備える、［１］に記載の方法。
［５］  前記第２のアクセスポイントが前記第１のアクセスポイントのセルエッジの近くに存在することを前記決定された信号品質が示す場合、前記セル再選択パラメータの決定は、
前記第２のアクセスポイントによってサービス提供されるアクセス端末が前記第１のアクセスポイントへの再選択を行うであろう可能性を高めるように、許容セル再選択パラメータ値のセットのうちの１つの値を選択することと、
前記セル再選択パラメータを前記選択された値に設定することと
を備える、［１］に記載の方法。
［６］  前記第２のアクセスポイントからの信号の品質を決定することをさらに備え、前記セル再選択パラメータの決定は、前記第２のアクセスポイントからの信号の前記決定された信号品質にさらに基づく、［１］に記載の方法。
［７］  前記セル再選択パラメータは、Ｑｈｙｓｔパラメータを備える、［１］に記載の方法。
［８］  前記セル再選択パラメータの決定は、前記Ｑｈｙｓｔパラメータを前記決定された信号品質の関数として計算することを備える、［７］に記載の方法。
［９］  前記セル再選択パラメータの決定は、
前記決定された信号品質を閾値と比較することと、
前記決定された信号品質が前記閾値以上である場合に、前記Ｑｈｙｓｔパラメータを、セルサイトに対して特定された値に設定することと
を備える、［７］に記載の方法。
［１０］  前記セル再選択パラメータの決定は、
前記決定された信号品質を閾値と比較することと、
前記決定された信号品質が前記閾値以下である場合に、前記Ｑｈｙｓｔパラメータを、セルエッジに対して特定された値に設定することと
を備える、［７］に記載の方法。
［１１］  前記セル再選択パラメータは、Ｑｑｕａｌｍｉｎパラメータ、Ｔｒｅｓｅｌｅｃｔｉｏｎパラメータ、Ｑｒｘｌｅｖｍｉｎパラメータ、または、Ｑｏｆｆｓｅｔパラメータを備える、［１］に記載の方法。
［１２］  前記信号品質の決定は、前記第２のアクセスポイントにおいて前記信号のＥｃｐ／Ｉ０を決定することを備える、［１］に記載の方法。
［１３］  前記信号品質の決定は、前記第２のアクセスポイントにおいて前記信号の受信信号コード電力を決定することを備える、［１］に記載の方法。
［１４］  前記信号品質の決定は、前記第１のアクセスポイントから前記第２のアクセスポイントへの経路損失を推定することを備える、［１］に記載の方法。
［１５］  前記信号品質の決定は、
前記第１のアクセスポイントから前記信号を受信することと、
前記受信信号に基づいて信号品質パラメータを決定することと
を備える、［１］に記載の方法。
［１６］  前記信号品質の決定は、前記信号品質のインジケーションを受信することを備える、［１］に記載の方法。
［１７］  前記第１のアクセスポイントはマクロ基地局を備え、
前記第２のアクセスポイントはフェムトセルを備える
［１］に記載の方法。
［１８］  通信のための装置であって、
前記装置においてアクセスポイントからの信号の品質を決定するように動作可能であり、さらに、前記決定された信号品質に基づいてセル再選択パラメータを決定するように動作可能なコントローラと、
前記装置から前記決定されたセル再選択パラメータを送信するように動作可能な送信機と
を備える装置。
［１９］  前記セル再選択パラメータの決定は、
第２のアクセスポイントが第１のアクセスポイントの近くに存在することを前記決定された信号品質が示す場合に、前記セル再選択パラメータを第１の値に設定すること、または
前記第２のアクセスポイントが前記第１のアクセスポイントのセルエッジの近くに存在することを前記決定された信号品質が示す場合に、前記セル再選択パラメータを第２の値に設定すること
を備える、［１８］に記載の装置。
［２０］  前記第１の値は、前記第２のアクセスポイントによってサービス提供されるアクセス端末が前記第１のアクセスポイントへの早期再選択を行う可能性を減少させるように定義され、
前記第２の値は、前記第２のアクセスポイントによってサービス提供されるアクセス端末が、前記アクセス端末が前記第１のアクセスポイントへの再選択ではなく前記第２のアクセスポイントに留まることによる機能停止を経験する可能性を減少させるように定義される
［１９］に記載の装置。
［２１］  前記コントローラは、さらに、第２のアクセスポイントからの信号の品質を決定するように動作可能であり、
前記セル再選択パラメータの決定は、さらに、前記第２のアクセスポイントからの信号の前記決定された信号品質に基づく
［１８］に記載の装置。
［２２］  前記セル再選択パラメータは、Ｑｈｙｓｔパラメータを備える、［１８］に記載の装置。
［２３］  前記セル再選択パラメータは、Ｑｑｕａｌｍｉｎパラメータ、Ｔｒｅｓｅｌｅｃｔｉｏｎパラメータ、Ｑｒｘｌｅｖｍｉｎパラメータ、または、Ｑｏｆｆｓｅｔパラメータを備える、［１８］に記載の装置。
［２４］  通信のための装置であって、
前記装置においてアクセスポイントからの信号の品質を決定するための手段と、
前記決定された信号品質に基づいてセル再選択パラメータを決定するための手段と、
前記装置から前記決定されたセル再選択パラメータを送信するための手段と
を備える装置。
［２５］  前記セル再選択パラメータの決定は、
第２のアクセスポイントが第１のアクセスポイントの近くに存在することを前記決定された信号品質が示す場合に、前記セル再選択パラメータを第１の値に設定すること、または
前記第２のアクセスポイントが前記第１のアクセスポイントのセルエッジの近くに存在すること前記決定された信号品質が示す場合に、前記セル再選択パラメータを第２の値に設定すること
を備える、［２４］に記載の装置。
［２６］  前記第１の値は、前記第２のアクセスポイントによってサービス提供されるアクセス端末が前記第１のアクセスポイントへの早期再選択を行う可能性を減少させるように定義され、
前記第２の値は、前記第２のアクセスポイントによってサービス提供されるアクセス端末が、前記アクセス端末が前記第１のアクセスポイントへの再選択のではなく前記第２のアクセスポイントに留まることによる機能停止を経験する可能性を減少させるように定義される
［２５］に記載の装置。
［２７］  第２のアクセスポイントからの信号の品質を決定するための手段をさらに備え、前記セル再選択パラメータの決定は、さらに、前記第２のアクセスポイントからの信号の前記決定された信号品質に基づく、［２４］に記載の装置。
［２８］  前記セル再選択パラメータは、Ｑｈｙｓｔパラメータを備える、［２４］に記載の装置。
［２９］  前記セル再選択パラメータは、Ｑｑｕａｌｍｉｎパラメータ、Ｔｒｅｓｅｌｅｃｔｉｏｎパラメータ、Ｑｒｘｌｅｖｍｉｎパラメータ、または、Ｑｏｆｆｓｅｔパラメータを備える、［２４］に記載の装置。
［３０］  コンピュータ可読媒体を備えるコンピュータプログラムプロダクトであって、前記コンピュータ可読媒体は、コンピュータに対して、
第２のアクセスポイントにおいて第１のアクセスポイントからの信号の品質を決定させ、
前記決定された信号品質に基づいてセル再選択パラメータを決定させ、
前記第２のアクセスポイントから前記決定されたセル再選択パラメータを送信させる
ためのコードを備える、コンピュータプログラムプロダクト。
［３１］  前記セル再選択パラメータの決定は、
前記第２のアクセスポイントが前記第１のアクセスポイントの近くに存在することを前記決定された信号品質が示す場合に、前記セル再選択パラメータを第１の値に設定すること、または
前記第２のアクセスポイントが前記第１のアクセスポイントのセルエッジの近くに存在することを前記決定された信号品質が示す場合に、前記セル再選択パラメータを第２の値に設定すること
を備える、［３０］に記載のコンピュータプログラムプロダクト。
［３２］  前記第１の値は、前記第２のアクセスポイントによってサービス提供されるアクセス端末が前記第１のアクセスポイントへの早期再選択を行う可能性を減少させるように定義され、
前記第２の値は、前記第２のアクセスポイントによってサービス提供されるアクセス端末が、前記アクセス端末が前記第１のアクセスポイントへの再選択ではなく前記第２のアクセスポイントに留まることによる機能停止を経験する可能性を減少させるように定義される
［３１］に記載のコンピュータプログラムプロダクト。
［３３］  前記コンピュータ可読媒体は、さらに、前記コンピュータに対して、前記第２のアクセスポイントからの信号の品質を決定させるためのコードを備え、
前記セル再選択パラメータの決定は、さらに、前記第２のアクセスポイントからの信号の前記決定された信号品質に基づく、
［３０］に記載のコンピュータプログラムプロダクト。
［３４］  前記セル再選択パラメータは、Ｑｈｙｓｔパラメータを備える、［３０］に記載のコンピュータプログラムプロダクト。
［３５］  前記セル再選択パラメータは、Ｑｑｕａｌｍｉｎパラメータ、Ｑｒｘｌｅｖｍｉｎパラメータ、Ｔｒｅｓｅｌｅｃｔｉｏｎパラメータ、または、Ｑｏｆｆｓｅｔパラメータを備える、［３０］に記載のコンピュータプログラムプロダクト。
［３６］  通信の方法であって、
第１のアクセスポイントと第２のアクセスポイントとの近接度を決定することと、
前記決定された近接度に基づいてセル再選択パラメータを決定することと、
前記第１のアクセスポイントから前記決定されたセル再選択パラメータを送信することと
を備える方法。
［３７］  前記セル再選択パラメータの決定は、
前記第１のアクセスポイントが前記第２のアクセスポイントの近くに存在することを前記決定された近接度が示す場合、前記セル再選択パラメータを第１の値に設定すること、または
前記第１のアクセスポイントが前記第２のアクセスポイントのセルエッジの近くに存在することを前記決定された近接度が示す場合、前記セル再選択パラメータを第２の値に設定すること
を備える、［３６］に記載の方法。
［３８］  前記第１の値は、前記第１のアクセスポイントによってサービス提供されるアクセス端末が前記第２のアクセスポイントへの早期再選択を行う可能性を減少させるように定義され、
前記第２の値は、前記第１のアクセスポイントによってサービス提供されるアクセス端末が、前記アクセス端末が前記第２のアクセスポイントへの再選択ではなく前記第１のアクセスポイントに留まることによる機能停止を経験する可能性を減少させるように定義される
［３７］に記載の方法。
［３９］  前記第１のアクセスポイントが前記第２のアクセスポイントの近くに存在することを前記決定された近接度が示す場合、前記セル再選択パラメータの決定は、
前記第１のアクセスポイントによってサービス提供されるアクセス端末が前記第２のアクセスポイントへの再選択を行うであろう可能性を減らす許容セル再選択パラメータ値のセットのうちの１つの値を選択することと、
前記セル再選択パラメータを前記選択された値に設定することと
を備える、［３６］に記載の方法。
［４０］  前記第１のアクセスポイントが前記第２のアクセスポイントのセルエッジの近くに存在することを前記決定された近接度が示す場合、前記セル再選択パラメータの決定は、
前記第１のアクセスポイントによってサービス提供されるアクセス端末が前記第２のアクセスポイントへの再選択を行うであろう可能性を高める許容セル再選択パラメータ値のセットのうちから１つの値を選択することと、
前記セル再選択パラメータを前記選択された値に設定することと
を備える、［３６］に記載の方法。
［４１］  前記セル再選択パラメータは、Ｑｈｙｓｔパラメータを備える、［３６］に記載の方法。
［４２］  前記セル再選択パラメータの決定は、前記第１のアクセスポイントが前記第２のアクセスポイントの近くに存在することを前記決定された近接度が示す場合、セルサイトに対して特定された値に前記Ｑｈｙｓｔパラメータを設定することを備える、［４１］に記載の方法。
［４３］  前記セル再選択パラメータの決定は、前記第１のアクセスポイントが前記第２のアクセスポイントのセルエッジの近くに存在することを前記決定された近接度が示す場合、セルエッジに対して特定された値に前記Ｑｈｙｓｔパラメータを設定することを備える、［４１］に記載の方法。
［４４］  前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、［３６］に記載の方法。
［４５］  前記近接度の決定は、
前記第２のアクセスポイントから信号を受信することと、
前記受信信号の信号パラメータを測定することと、
前記測定された信号パラメータに基づいて前記近接度を決定することと、
を備える、［３６］に記載の方法。
［４６］  前記近接度の決定は、前記第２のアクセスポイントから前記第１のアクセスポイントへの経路損失を推定することを備える、［３６］に記載の方法。
［４７］  前記経路損失の推定は、
前記第１のアクセスポイントにおいて前記第２のアクセスポイントからの信号の受信信号コード電力を決定することと、
前記信号を送信するために、前記第２のアクセスポイントによって使用された送信電力を決定することと、
前記決定された受信信号コード電力および前記決定された送信電力に基づいて経路損失値を計算することと
を備える、［４６］に記載の方法。
［４８］  前記受信信号コード電力は、共通パイロットチャネル受信信号コード電力を備え、
前記送信電力は、共通パイロットチャネル送信電力を備える、
［４７］に記載の方法。
［４９］  前記近接度の決定は、前記近接度のインジケーションを受信することを備える、［３６］に記載の方法。
［５０］  前記第１のアクセスポイントはフェムトセルを備え、
前記第２のアクセスポイントはマクロ基地局を備える
［３６］に記載の方法。
［５１］  通信のための装置であって、
前記装置とアクセスポイントとの近接度を決定するように動作可能であって、さらに、前記決定された近接度に基づいてセル再選択パラメータを決定するように動作可能なコントローラと、
前記装置から前記決定されたセル再選択パラメータを送信するように動作可能な送信機と
を備える装置。
［５２］  前記セル再選択パラメータの決定は、
第１のアクセスポイントが第２のアクセスポイントの近くに存在することを前記決定された近接度が示す場合、前記セル再選択パラメータを第１の値に設定すること、または
前記第１のアクセスポイントが前記第２のアクセスポイントのセルエッジの近くに存在することを前記決定された近接度が示す場合、前記セル再選択パラメータを第２の値に設定すること
を備える、［５１］に記載の装置。
［５３］  前記第１の値は、前記第１のアクセスポイントによってサービス提供されるアクセス端末が前記第２のアクセスポイントへの早期再選択を行う可能性を減少させるように定義され、
前記第２の値は、前記第１のアクセスポイントによってサービス提供されるアクセス端末が、前記アクセス端末が前記第２のアクセスポイントへの再選択ではなく前記第１のアクセスポイントに留まることによる機能停止を経験する可能性を減少させるように定義される
［５２］に記載の装置。
［５４］  前記セル再選択パラメータは、Ｑｈｙｓｔパラメータを備える、［５１］に記載の装置。
［５５］  前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、［５１］に記載の装置。
［５６］  前記近接度の決定は、第２のアクセスポイントから第１のアクセスポイントへの経路損失を推定することを備える、［５１］に記載の装置。
［５７］  通信のための装置であって、
前記装置とアクセスポイントとの近接度を決定するための手段と、
前記決定された近接度に基づいてセル再選択パラメータを決定するための手段と、
前記装置から前記決定されたセル再選択パラメータを送信するための手段と
を備える装置。
［５８］  前記セル再選択パラメータの決定は、
第１のアクセスポイントが第２のアクセスポイントの近くに存在することを前記決定された近接度が示す場合、前記セル再選択パラメータを第１の値に設定すること、または
前記第１のアクセスポイントが前記第２のアクセスポイントのセルエッジの近くに存在することを前記決定された近接度が示す場合、前記セル再選択パラメータを第２の値に設定すること
を備える、［５７］に記載の装置。
［５９］  前記第１の値は、前記第１のアクセスポイントによってサービス提供されるアクセス端末が前記第２のアクセスポイントへの早期再選択を行う可能性を減少させるように定義され、
前記第２の値は、前記第１のアクセスポイントによってサービス提供されるアクセス端末が、前記アクセス端末が前記第２のアクセスポイントへの再選択ではなく前記第１のアクセスポイントに留まることによる機能停止を経験する可能性を減少させるように定義される
［５８］に記載の装置。
［６０］  前記セル再選択パラメータは、Ｑｈｙｓｔパラメータを備える、［５７］に記載の装置。
［６１］  前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、［５７］に記載の装置。
［６２］  前記近接度の決定は、第２のアクセスポイントから第１のアクセスポイントへの経路損失を推定することを備える、［５７］に記載の装置。
［６３］  コンピュータ可読媒体を備えるコンピュータプログラムプロダクトであって、前記コンピュータ可読媒体は、コンピュータに対して、
第１のアクセスポイントと第２のアクセスポイントとの近接度を決定させ、
前記決定された近接度に基づいてセル再選択パラメータを決定させ、
前記第１のアクセスポイントから前記決定されたセル再選択パラメータを送信させる
ためのコードを備える、コンピュータプログラムプロダクト。
［６４］  前記セル再選択パラメータの決定は、
前記第１のアクセスポイントが前記第２のアクセスポイントの近くに存在することを前記決定された近接度が示す場合、前記セル再選択パラメータを第１の値に設定すること、または
前記第１のアクセスポイントが前記第２のアクセスポイントのセルエッジの近くに存在することを前記決定された近接度が示す場合、前記セル再選択パラメータを第２の値に設定すること
を備える、［６３］に記載のコンピュータプログラムプロダクト。
［６５］  前記第１の値は、前記第１のアクセスポイントによってサービス提供されるアクセス端末が前記第２のアクセスポイントへの早期再選択を行う可能性を減少させるように定義され、
前記第２の値は、前記第１のアクセスポイントによってサービス提供されるアクセス端末が、前記アクセス端末が前記第２のアクセスポイントへの再選択ではなく前記第１のアクセスポイントに留まることによる機能停止を経験する可能性を減少させるように定義される
［６４］に記載のコンピュータプログラムプロダクト。
［６６］  前記セル再選択パラメータは、Ｑｈｙｓｔパラメータを備える、［６３］に記載のコンピュータプログラムプロダクト。
［６７］  前記セル再選択パラメータは、Ｑｑｕａｌｍｉｎパラメータ、Ｔｒｅｓｅｌｅｃｔｉｏｎパラメータ、または、Ｑｒｘｌｅｖｍｉｎパラメータを備える、［６３］に記載のコンピュータプログラムプロダクト。
［６８］  前記近接度の決定は、前記第２のアクセスポイントから前記第１のアクセスポイントへの経路損失を推定することを備える、［６３］に記載のコンピュータプログラムプロダクト。